(57)【特許請求の範囲】
【請求項１】
使用者のベルトや着衣等に固定する携帯用ホルダ又は乗物の室内に取り付けた車載用ホルダに装着して携帯電話機器を保持する携帯電話機器用保持具であって、
この保持具の本体部の表面に立設し前記携帯用ホルダ又は車載用ホルダに固定若しくは保持される保持手段と、
前記本体部の少なくとも２箇所から突出するとともに、前記携帯電話機器の筐体の少なくとも２箇所にそれぞれ係止し、前記保持具の本体部を前記携帯電話機器の筐体に対して非接触状態に保持する係止手段と、を備え、
前記係止手段は、携帯電話機器の筐体背面側に設けたバッテリー収納用の凹所縁部の起立面に係止する第１の係止手段と、前記筐体の一端面に設けた凹部に係止する第２の係止手段とを備えたことを特徴とする携帯電話機器用保持具。
【請求項２】
前記本体部の表面に立設した保持手段は、
円筒状の突出軸であることを特徴とする請求項１に記載の携帯電話機器用保持具。
【請求項３】
前記本体部の表面に立設した突出軸は、
携帯用ホルダに設けた固定突起に対して回動可能に嵌入する係止孔を上面中央部が開口したことを特徴とする請求項２に記載の携帯電話機器用保持具。
【請求項４】
前記本体部の表面とは逆側に位置する前記突出軸の上面部分が、前記本体部の長手方向に沿って前記第１の係止手段に向けて低くなるような状態に傾斜させた形状を有することを特徴とする請求項２又は３に記載の携帯電話機器用保持具。
【発明の詳細な説明】
【０００１】
【発明の属する技術分野】
この発明は、携帯用ホルダを介して携帯電話機器を使用者のベルトや着衣に保持することのできる携帯電話機器用保持具及びこの携帯電話機器用保持具を用いて携帯電話機器を車内にしっかりと固定・保持することのできる車載用ホルダ装置に関するものである。
【０００２】
【従来の技術】
携帯電話機は、周知のように、どこでも携帯して好きな場所で使用できるようにするため、小型化を図るなど、携帯性を高める工夫がなされており、使用者のポケットやカバンなどに収めて一緒に持ち運べるようになっている。
【０００３】
しかしながら、使用者のポケットなどに収めて携帯している場合には、携帯中の姿勢によって、ポケットなどから抜け落ちて紛失したり破損する虞もある。
【０００４】
そこで、この防止手段として、例えば、着衣などに挟みつけるためのクリップなどを取り付けたストラップや、ベルトにばね力で挟みつけて保持する携帯用ホルダなども知られている。
【０００５】
例えば、この携帯用ホルダにあっては、携帯電話機の筐体の背面部分に粘着テープや接着剤で固着させた保持具などを同時に用いるようになっており、この保持具に突設させた軸部をＵ字型のガイド部に沿って下方(奥部)へ押し込ませて最下部（最奥部）の固定突起に係止させるものが知られている。
【０００６】
【発明が解決しようとする課題】
しかしながら、このような保持具を使用する場合には、前述したように、保持具を携帯電話機の筐体部分に貼り付ける必要があるので、一旦、保持具を貼り付けた場合には、容易に取り外すことができない。
しかも、この保持具を取り付ける携帯電話機の筐体部分には、スピーカや各種の操作ボタンが設置してあるものもあり、そのためこの保持具を取り付ける適当な場所が見つからず、使用できないこともある。
【０００７】
ところで、携帯用ホルダをベルトなどに止め付けた状態で使用する場合には、使用者の腹部などの体の一部に携帯電話機の筐体部分が接触したときに、筐体部分が押出されて携帯用ホルダに対して回動させることで、その接触状態から逃げられるようにするため、ホルダに対して保持具が自由に回動できることが好ましい。一方、保持具を介して取り付けた携帯電話機の筐体部分は、通常、この保持具を取り付ける背面部分の上部に、アンテナをその背面部分から一部突出させて設けてあることが多い。
【０００８】
従って、このアンテナをホルダ側に対して接触しないようにするためには、軸部を保持具からある程度大きく突設させる必要がある。このため、ホルダから携帯電話機を取り外したときに、その分、筐体部分から保持具が大きく突出して嵩高になり、携帯電話機を把持したり使用する場合に邪魔になることがあるので、使い勝手も悪くなる。
【０００９】
さらに、この携帯電話機を設けた保持具をそのまま利用して自動車などの車内に設けた車載用ホルダに保持させるものも各種使用されている。しかしながら、このような車載用ホルダは、通常、保持具をしっかり固定させることができず、換言すれば、車が揺れるのに追従して携帯電話機も大きく揺れ回るような構成のものが多い。従って、この携帯電話機は、例えば、車載用ホルダに装着したままではキー操作などをやり難いことがある。また、急ブレーキをかけた際に、大きな力が作用して車内の物に衝突する虞もある。さらに、携帯電話機が揺動すると車載用ホルダから取り外し難いなど、使い勝手にも問題があった。
【００１０】
そこで、この発明は、上記した事情に鑑み、装着する背面部分にスピーカなどが設置されている場合であっても取り付けることができるとともに、アンテナの邪魔になることがなく突出量をできるだけ低く抑えることができ、使い勝手のよい携帯電話機器用保持具を提供することを目的とするものである。
また、この発明は、携帯電話機器用保持具を装着時には携帯電話機器を車内にしっかりと固定・保持することができるのと同時に、必要時には携帯電話機器用保持具を容易に着脱させることができる車載用ホルダ装置を提供することを目的とするものである。
【００１１】
【課題を解決するための手段】
この発明は、第１に、使用者のベルトや着衣等に固定する携帯用ホルダ又は乗物の室内に取り付けた車載用ホルダに装着して携帯電話機器を保持する携帯電話機器用保持具であって、
この保持具の本体部の表面に立設し、前記携帯用ホルダ又は車載用ホルダに固定若しくは保持される保持手段と、
前記本体部の少なくとも２箇所から突出し、前記携帯電話機器の筐体の少なくとも２箇所にそれぞれ係止して前記保持具の本体部を前記携帯電話機器の筐体に対して非接触状態に保持する係止手段と、を備え、
前記係止手段は、携帯電話機器の筐体背面側に設けたバッテリー収納用の凹所縁部の起立面に係止する第１の係止手段と、前記筐体の一端面に設けた凹部に係止する第２の係止手段とを備えたことを特徴としている。
【００１２】
これにより、装着する背面部分にスピーカなどが設置されている場合であっても、これを避けた状態で取り付けることができる。また、最低２箇所での係止動作でも、換言すれば、簡単な構成でも、携帯電話機器の筐体背面側に確実に固定することができる。
【００１３】
また、第２に、前記本体部の表面に立設した保持手段は、円筒状の突出軸であることが好ましい。
【００１４】
これにより、携帯電話機器を保持した状態でこの突出軸を回動中心として携帯電話機器を自由に回動させることができる。
【００１７】
また、第３に、前記本体部の表面に立設した突出軸は、
携帯用ホルダに設けた固定突起に対して回動可能に嵌入する係止孔を上面中央部が開口するのが好ましい。
【００１８】
これにより、突出軸を固定突起に回転可能な状態で係止させることができる。
【００２１】
また、第４に、前記本体部の表面とは逆側に位置する前記突出軸の上面部分が、前記本体部の長手方向に沿って前記第１の係止手段に向けて低くなるような状態に傾斜させた形状を有することが好ましい。
【００２２】
これにより、突出軸をアンテナの近傍に配置させておくとともにアンテナと携帯用ホルダとの間の距離を双方が接触しない最低距離に保持しておけば、突出軸を中心として携帯電話機器を回動させたときに、突出軸を最低の高さに突出させた状態で、携帯用ホルダのいずれの部分ともアンテナが接触するのを防止できるように構成することができる。
【００３３】
【発明の実施の形態】
以下、この発明に係る実施の形態について、添付図面を参照しながら詳細に説明する。
［第１の実施形態］
図１は、この発明に係る保持具２を示すものであり、この実施形態の保持具２は、携帯電話機１に固定させるとともに、携帯用ホルダ５（図３参照）に着脱自在に装着するものであり、係止手段を設けた本体部３と、保持手段である突出軸４とを備えている。
【００３４】
なお、この保持具２は、携帯電話機１の筐体背面１０Ａ部分に装着させるようになっており、このため、携帯電話機１には、一端（上端）部の中央に、後述する係止爪３１が係止する凹部１１が形成されている。また、この携帯電話機１には、筐体背面１０Ａ部分に、電池蓋１２の裏面に取り付けた電池を収容する凹所１３が形成されているとともに、この凹所１３の一方の起立面１３Ａの中央部分には、後述する係止金具３２が入り込むことができる切欠部１３Ｂが形成されている。
なお、この携帯電話機１でも、筐体背面１０Ａの上部側にアンテナ１４の基部を収納する膨出部１５が背面１０Ａから高さＨ１だけ突出して形成されている。
【００３５】
本体部３は、適宜の金属や合成樹脂材料などを用いて薄板略三角形若しくは薄板略台形などの形状に形成されており、一端（上端）部及び他端（下端）部には、それぞれ、係止爪（第１の係止手段）３１および係止金具（第２の係止手段）３２を突設させている。また、この係止金具３２を設けてある本体部３の他端部側の左右両側部には、後述する車載用ホルダ装置６への固定保持のための突起部３３を設けている。
【００３６】
係止爪３１は、厚さ方向に切断したときの断面が略Ｕ字型（若しくはＣ字型）に形成されており、本体部３の一端（上端）部から裏面方向に突設されている。また、この係止爪３１は、係止金具３２とともに携帯電話機１に取り付けたときに、本体部３が携帯電話機１の筐体背面１０Ａに対してブリッジ状（若しくはアーチ状）に持ち上がった（跨った）格好になり、本体部３の裏面が筐体背面１０Ａに対して非接触状態を保持する（或いは筐体背面１０Ａに僅かに触れる）ようになっている。
【００３７】
係止金具３２は、薄板状の金属板を用いて断面略Ｌ字型に形成されており、係止爪３１と同様に、本体部３をブリッジ状（若しくはアーチ状）に持ち上げるような格好となるように取り付けられている。
【００３８】
突起部３３は、保持具２の他端部両側の角隅部分に形成されており、車載用ホルダ装置６の本体部７に不動状態で固定するために、２方向に突出した構成となっている。この実施形態の突起部３３は、略Ｌ字型に形成されており、図１に示すように、水平方向に突出した横部材３３Ａと、これに垂直な高さ方向に突出した縦部材３３Ｂとを備えている。
【００３９】
さらに、この本体部３の中間部には、この保持具２を装着させる携帯電話機１の筐体背面１０Ａの一部にスピーカ用の音孔（図略）を設けている都合上、この音孔位置の直上の対応領域に、音が抜け易いようにするための孔３４を穿設させている。
【００４０】
突出軸４は、中空円筒形状を呈しており、本体部３の表面から高さＨ２だけ突出した状態で固設されている。そして、この突出軸４の上端部にはフランジ部４１が形成されており、このフランジ部４１の上面中央の開口された係止孔４１Ａの部分に後述する携帯用ホルダ５の固定突起が入り込むことにより、携帯用ホルダ５に対して保持具２の脱出防止が図られている。
【００４１】
また、この実施形態のフランジ部４１の上面部分は、図２に示すように、中央部から上側半分４１Ｂが携帯電話機１の背面部分に対して略平行な平面（水平面）を有する一方、下側半分４１Ｃが携帯電話機１の背面部分に対して角度θ（同様に、図９参照）だけ下向き（背面１Ａ寄り）に傾いた斜面形状を有している。このような構成のフランジ部４１を有する突出軸４は、本体部３から長く突出させていなくても、図２に示すように、携帯用ホルダ５に対して携帯電話機１を回動させたときに、携帯電話機１の筐体背面１０Ａに設けたアンテナ１４が携帯用ホルダ５に接触するのを防止できるようになっている。
【００４２】
即ち、この携帯電話機１が、携帯用ホルダ５に対して、突出軸4を中心として回動するときには、このアンテナ14を取りつけてある筐体１０の上端部の方が、常時、下端部よりも、携帯用ホルダ５から離れた状態で、換言すれば、携帯用ホルダ５に対して角θだけ上端部が起き上がった状態（図２参照）で回動するように構成されている。
【００４３】
一方、携帯用ホルダ５は、図３に示すように、大略構成として、本体部５１と、挟着部５２と、ガイド部５３と、固定突起５４と、ロック解除部５５とを備えている。
【００４４】
本体部５１は、図３において、上下方向に長い細長形状に形成されており、表面部分には略Ｕ字型に突出して設けたガイド部５３が形成されている。このガイド部５３は、本体部５１の長手方向に平行な両側縁部に沿って形成されたガイド壁５３Ａを有しており、保持具２を携帯用ホルダ５に装着させる際に、このガイド壁５３Ａによって突出軸４を下方に向けてスライド誘導させるようになっている。また、このガイド部５３には、後述する固定突起５４を設けており、突出軸４がこのガイド部５３の最下部（最奥部）まで移動してくると、その最下部（最奥部）側の固定突起５４で固定（ロック）されるように構成されている。
【００４５】
挟着部５２は、本体部５１と略同じ大きさを有する長尺略板状に形成されているとともに、上端部側は略Ｕ字型の板ばね材５２Ａで本体部５１と連結されており、下端部側がワニ口状に開口するように構成されている。即ち、この挟着部５２は、図４に示すように、そのばね力に抗して上端部を本体部５１方向（図４でＡ方向）に押し込んで下端部側を開口させると、ベルトＣなどに挿入・挟着させることができるようになっている。なお、この挟着部５２の下端には、本体部５１に向けて突出する係止突起５２Ｂ（図４参照）を設けており、ベルトＣなどから簡単に外れないようになっている。
【００４６】
固定突起５４は、本体部５１の下端部側において、表面に対して出入可能に構成されており、図示外のばねによって、常時、本体部５１の表面から突出するようになっている。即ち、固定具２の突出軸４を本体部５１の下端部側まで挿入させると、この固定突起５４が突出軸４の上端部のフランジ部４１に開口した係止孔４１Ａ（図１参照）に嵌入してロック状態となり、固定具５をしっかりと固定保持するように構成されている。
【００４７】
また、この固定突起部５４は、図３において、ロック解除部５５を本体部５１の下方に向けて押下すると、ばねによる固定突起部５４への付勢動作が解除されるように構成されており、突出軸４のロック状態も解除されるので、携帯用ホルダ５からとりはずすことができるようになっている。
【００４８】
次に、この実施形態の保持具２の作用について説明する。
この実施形態の保持具２は、携帯電話機１の筐体１０に対して両端部の２箇所で係止させてブリッジ状（若しくはアーチ状）に固定されており、換言すれば、少なくとも筐体１０の上端部と中間部との２箇所の間に跨って取り付けられており、本体部３の裏面が非接触な状態で取り付けてある。
【００４９】
従って、例えば、携帯電話機１が背面部側から落下して保持具２が地面に衝突しても、この保持具２はブリッジ状にふんばる構造であるので、衝撃力を吸収・減殺させることができる。これにより、電池蓋１２からバッテリーが剥離したり、携帯電話機１の筐体１０内部にあるプリント基板が破損するなどといったトラブルを防止することも可能になる。
【００５０】
［第２の実施形態］
次に、この発明の車載用ホルダ装置について、添付図面を参照しながら説明する。なお、この実施形態において、第１の実施形態と同一部分には同一符号を付して重複説明を避ける。
図５は、この発明に係る車載用ホルダ装置６を示すものであり、この車載用ホルダ装置６は、本体部７および基部８とを備えており、第１の実施形態に用いた保持具２を介して、携帯電話機１を回り止めした状態で固定保持する構成となっている。
【００５１】
このうち、本体部７には、表面７１側に、挟着部７２と挟持部７３とを有しており、挟着部７２では両側（図５においてＹ方向）からばね力で挟着し、また挟持部７３では両側および上下方向（図５においてＹ方向およびＺ方向）を物理的に固定する構成となっている。
【００５２】
表面７１は、挟着部７２を設けてある一端側寄りの略半分の領域が、他方側寄りの略半分の領域よりも、位置的に高さが低くなるように形成されており、これらの間の境界部分が傾斜した構成となっている。なお、この表面７１の高低差は、図７に示すように、携帯電話機の筐体背面１０Ａ部分にアンテナ基部を取り付けてある膨出部１５の膨出量を吸収できる大きさに形成されている。
【００５３】
挟着部７２は、スライド穴７２Ａの奥部に入り込んできた保持具２の突出軸４を両側からばね力で挟着させるよう構成されている。このスライド穴７２Ａは、図５に示すように、表面７１の面方向に平行な横穴状に形成されており、突出軸４を挿入し易くするために、本体部７の一端部に臨んで開口した入口部分は外部に向けて拡開されている。
【００５４】
また、この入り口近くのスライド穴７２Ａの両側面には、図８に示すように、それぞれ板ばね７２Ｂを取り付けており、これらの板ばね７２Ｂは、互いに奥部に向けて全体的にテーパ状にすぼまるような状態で設けられているが、途中には保持具２の突出軸４が抜け出すのを防止して一時的なロック状態にするための段部７２Ｄを設けている。
また、この挟着部７２には、床面部分に、この床面とここに接触・摺動する突出軸４の上面との間の摩擦力を最小限に抑えてスムースに奥部へ挿入させるために、一対の細壁７２Ｃが挿入（Ｘ）方向に沿って突設されている。
【００５５】
挟持部７３は、保持具２に設けた突起部３３（図１参照）を差込ませて本体部７の厚さ（Ｚ）方向および幅（Ｙ）方向の動きを物理的に拘束させた状態に挟持するものであり、図５に示すように、挟着部７２の場合と同じＸ方向から突起部３３を挿入させる構成となっている。
【００５６】
この実施形態の挟持部７３には、突起部３３の一部（図１に示す水平部材３３Ａ）を本体部７の厚さ（Ｚ）方向から拘束・保持するための横穴７３Ａと、突起部６６の残りの部分（図１に示す縦部材３３Ｂ）を幅（Ｙ）方向から拘束・保持するための縦穴７３Ｂとを有しており、ガタツキなく固定するために、水平部材３３Ａや縦部材３３Ｂの大きさに合わせた寸法に形成されている。
【００５７】
なお、この挟持部７３の中心部には、表面７１とは反対面である裏面側に基部８を固定するためのねじ孔７３Ｃを設けてある。また、この挟持部７３よりも端部寄りに、柔軟性のあるパッド部７４を設けており、携帯電話機１を車載用ホルダ装置６に固定・保持させたときに、車体側の振動を吸収して筐体背面１０Ａに伝播するのを防止するようになっている。
【００５８】
一方、基部８は、自動車などの車内に、車載用ホルダ装置６を固定するためのものであり、車内にビスなどで螺着する場合には、この基部８を使用するようになっている。また、この基部８は、略円錐台形状を呈する上部に対して、使用者の好みの傾斜角度で本体部７を傾斜させてねじ８１により一体に組付けるように構成されており、図示外の傾斜調整機構が本体部７との間に設けられている。
【００５９】
なお、この車載用ホルダ装置６を車内にねじで直接固定させる場合には、この基部８を使用するが、ねじ止めを避ける場合には、例えば粘着剤を両面に塗布した貼付板９を介在させればよい。即ち、この貼付板９に表面に、本体部７をねじ止めして一体化させた基部８を固着させるとともに、この貼付板９の裏面を車体に固着させればよい。
【００６０】
【発明の効果】
以上説明してきたように、この発明の携帯電話機器用保持具によれば、携帯電話機器の筐体背面側に設けたバッテリー装着用の凹所の起立面に係止する第１の係止手段と、筐体の上端面に設けた凹部に係止する第２の係止手段とを備えており、換言すれば、これらの係止手段で筐体の少なくとも２箇所の間に跨って係止した状態で装着するように構成しており、装着する背面部分に保持具の中央裏面が接触するのを防止できるようになっている。従って、筐体のスピーカなどが設置されている場所であっても、これを塞ぐことなく、跨いだ状態で取り付けることができる。その結果、スピーカなどが設置されている場所でも、保持具を設置することができるようになる。
【００６１】
しかも、この携帯電話機器用保持具は、粘着剤で携帯電話機器の筐体に固着させる構成ではないから、使用者の各自の好みにあわせて取り付けたり、取り外したりというように、自由に使い分けすることができ、便宜である。
さらに、この携帯電話機器用保持具は、この保持具から突出する突出軸の上面部分を傾斜させることで、携帯電話機器の筐体のうちアンテナを設けてある部分を携帯用ホルダから最も離れた状態に保持できるようになるので、突出軸の突出量を極力低く抑えたものであっても、アンテナがホルダに接触するのを防止することができるようになる。これにより、嵩高量を最小限に抑えた使い勝手のよい携帯電話機器用保持具を提供することができる。
【００６２】
また、この発明の車載用ホルダ装置は、突出軸をばね力で両側から挟着させる挟着部と、携帯電話機器用保持具に設けた突起部を差込ませて挟持する挟持部とを備えており、装着時には携帯電話機器用を車内にしっかりと固定することができるので、車体の揺れに応じて大きく揺動しなくなる。その結果、携帯電話機器用が車内の何かに衝突して破損する、といったトラブルを防止できるとともに、車載用ホルダから携帯電話機器の着脱が容易にできるようになり、しかも車載用ホルダに装着したままでのキー操作が容易に行えるようになる。
【図面の簡単な説明】
【図１】この発明の第１の実施形態に係る携帯電話機用保持具とこれが固定される携帯電話機を示す斜視分解図である。
【図２】図１に示す第１の実施形態に係る携帯電話機用保持具を携帯電話機に取り付けた状態を示す説明図である。
【図３】図１に示す第１の実施形態に係る携帯電話機用保持具を携帯電話機に取り付けるときの状態を示す斜視図である。
【図４】図１に示す第１の実施形態に係る携帯電話機用保持具を装着する携帯用ホルダを示す説明図である。
【図５】この発明の第２の実施形態に係る車載用ホルダ装置を示す分解斜視図である。
【図６】図５に示す第２の実施形態に係る車載用ホルダ装置に携帯電話機を取り付けるときの状態を示す斜視図である。
【図７】図１に示す第１の実施形態に係る携帯電話機用保持具を介して携帯電話機を装着させた図５に示す第２の実施形態に係る車載用ホルダ装置を、乗物の車体内に取り付けた状態を示す説明図である。
【図８】図５に示す第２の実施形態に係る車載用ホルダ装置の挟着部の板ばねの形状を示す破断図である。
【図９】第１の実施形態に係る携帯電話機用保持具および第２の実施形態に係る車載用ホルダ装置の要部拡大図である。
【符号の説明】
１      携帯電話機
１０Ａ  背面
１１    凹部
１２    電池蓋
１３    凹所
１３Ａ  壁面
１３Ｂ  切欠部
１４    アンテナ
２      保持具
３      本体部
３１    係止爪（第１係止手段）
３２    係止金具（第２係止手段）
３３    突起部
３３Ａ  横部材
３３Ｂ  縦部材
３４    孔
４      突出軸（保持手段）
４１    フランジ部
４１Ａ  係止孔
４１Ｂ  上側半分（水平面）
４１Ｃ  下側半分（斜面）
５      携帯用ホルダ
５１    本体部
５２    挟着部
５３    ガイド部
５４    固定突起
５５    ロック解除部
６      車載用ホルダ装置
７      本体部
７１    表面
７２    挟着部
７２Ａ  スライド穴
７２Ｂ  板ばね
７２Ｃ  細壁
７２Ｄ  段部
７３    挟持部
７３Ａ  横穴
７３Ｂ  縦穴
７４  パッド部
【図１】
0004408595.tif 000002
【図２】
0004408595.tif 000003
【図３】
0004408595.tif 000004
【図４】
0004408595.tif 000005
【図５】
0004408595.tif 000006
【図６】
0004408595.tif 000007
【図７】
0004408595.tif 000008
【図８】
0004408595.tif 000009
【図９】
0004408595.tif 000010